(57)【特許請求の範囲】
【請求項１】
内容物が収容される容器本体の口部に装着されるとともに、前記内容物を振り出すための振り出し口が形成されたキャップ本体と、
前記振り出し口を開閉させる開閉蓋と、が備えられ、
前記キャップ本体の頂壁部において、前半部分に前記振り出し口が形成されるとともに、後半部分に前壁部、底壁部および左右一対の側壁部により画成され後方に向けて開放された凹欠き部が形成され、
この凹欠き部の両側端部に、前壁部と、側壁部と、底壁部に立設されこれらの前壁部および側壁部に対向する対向壁部と、により画成された軸受凹部が配設され、
前記開閉蓋において前記凹欠き部を覆う後半部分の両側端部に、前記軸受凹部内に嵌入される軸部が設けられた振り出しキャップであって、
前記対向壁部において少なくとも前記底壁部側の下端部には、前記軸受凹部と凹欠き部とを連通させる連通路が形成され、
前記底壁部において軸受凹部内に位置する部分には、前記軸部を支持する支持突部が突設され、この支持突部には前記連通路に繋がる連絡凹部が形成されていることを特徴とする振り出しキャップ。
【請求項２】
請求項１記載の振り出しキャップであって、
前記対向壁部のうち前記前壁部に対向する後壁部、および前記前壁部の互いに対向する対向面に、縦リブが各別に突設されていることを特徴とする振り出しキャップ。
【請求項３】
請求項１または２に記載の振り出しキャップであって、
前記軸部の外周面に凹部が形成されていることを特徴とする振り出しキャップ。
【発明の詳細な説明】
【技術分野】
【０００１】
本発明は、例えば粉状あるいは顆粒状の内容物が収容された容器本体に装着されて用いられ、振る動作によって内容物が振り出し口から振り出される振り出しキャップに関するものである。
【背景技術】
【０００２】
この種の振り出しキャップとして、例えば下記特許文献１に示されるように、内容物が収容される容器本体の口部に装着されるとともに、前記内容物を振り出すための振り出し口が形成されたキャップ本体と、前記振り出し口を開閉させる開閉蓋と、が備えられ、前記キャップ本体の頂壁部において、前半部分に前記振り出し口が形成されるとともに、後半部分に前壁部、底壁部および左右一対の側壁部により画成され後方に向けて開放された凹欠き部が形成され、この凹欠き部の両側端部に、前壁部と、側壁部と、底壁部に立設されこれらの前壁部および側壁部に対向する対向壁部と、により画成された軸受凹部が配設され、前記開閉蓋において前記凹欠き部を覆う後半部分の両側端部に、前記軸受凹部内に嵌入される軸部が設けられた構成が知られている。
この振り出しキャップにおいては、軸部を軸受凹部内で回転させて開閉蓋をキャップ軸方向の外側に向けて回動させることにより振り出し口が開放されるようになっている。
【特許文献１】実公平１−８５２５号公報
【発明の開示】
【発明が解決しようとする課題】
【０００３】
しかしながら、前記従来の振り出しキャップでは、内容物を振り出しているときに、この内容物の一部が軸受凹部内に入り込んで溜まることにより、軸部が軸受凹部内で回転し難くなり、開閉蓋の良好な開閉操作が阻害されるおそれがあった。
【０００４】
本発明は、このような事情を考慮してなされたもので、軸受凹部内に内容物が入り込んで溜まるのを抑制することができる振り出しキャップを提供することを目的とする。
【課題を解決するための手段】
【０００５】
上記課題を解決して、このような目的を達成するために、本発明の振り出しキャップは、内容物が収容される容器本体の口部に装着されるとともに、前記内容物を振り出すための振り出し口が形成されたキャップ本体と、前記振り出し口を開閉させる開閉蓋と、が備えられ、前記キャップ本体の頂壁部において、前半部分に前記振り出し口が形成されるとともに、後半部分に前壁部、底壁部および左右一対の側壁部により画成され後方に向けて開放された凹欠き部が形成され、この凹欠き部の両側端部に、前壁部と、側壁部と、底壁部に立設されこれらの前壁部および側壁部に対向する対向壁部と、により画成された軸受凹部が配設され、前記開閉蓋において前記凹欠き部を覆う後半部分の両側端部に、前記軸受凹部内に嵌入される軸部が設けられた振り出しキャップであって、前記対向壁部において少なくとも前記底壁部側の下端部には、前記軸受凹部と凹欠き部とを連通させる連通路が形成され、前記底壁部において軸受凹部内に位置する部分には、前記軸部を支持する支持突部が突設され、この支持突部には前記連通路に繋がる連絡凹部が形成されていることを特徴とする。
【０００６】
この発明では、前記対向壁部において少なくとも底壁部側の下端部に、軸受凹部と凹欠き部とを連通させる連通路が形成されているので、内容物を振り出しているときに、この内容物の一部が軸受凹部内に入り込んでも、この内容物を、前記連通路を通して軸受凹部の外部に排出することが可能になる。
しかも、この連通路が対向壁部において少なくとも底壁部側の下端部に形成されているので、軸受凹部内に入り込んだ内容物を溜め込むことなく逐次、軸受凹部の外部に排出することができる。
以上より、内容物を振り出しているときに、この内容物の一部が軸受凹部内に溜まることで、軸部が軸受凹部内で回転し難くなるのを抑えることができる。
【０００７】
また、軸部を支持する支持突部に前記連通路に繋がる連絡凹部が形成されているので、軸受凹部内に入り込んだ内容物が軸部と支持突部との間に進入しても、この内容物を、支持突部上から前記連絡凹部内に落下させることにより、この連絡凹部を通して連通路から軸受凹部の外部に排出することが可能になる。
したがって、軸受凹部内に入り込んだ内容物が、前記連通路に到達するまでの間に軸部と支持突部との間で滞留することで、軸部が軸受凹部内で回転し難くなるのを防ぐことができる。
【０００８】
また、前記対向壁部のうち前記前壁部に対向する後壁部、および前記前壁部の互いに対向する対向面に、縦リブが各別に突設されてもよい。
この場合、前壁部および後壁部の互いに対向する対向面に、縦リブが各別に突設されているので、内容物を振り出しているときに、この内容物の一部が、軸受凹部内に入り込み軸部と前記対向面との間に進入しても、この内容物を、前記対向面において縦リブの非形成部分と、軸部との間の隙間を通して落下させることが可能になる。
したがって、軸受凹部内に入り込んだ内容物が、軸部と前記対向面との間に滞留することで、軸部が軸受凹部内で回転し難くなるのを防ぐことができる。
また、このように前記対向面に縦リブが突設されていることから、開閉操作時に軸部と軸受凹部内との間に発生する摩擦力を低減することも可能になる。
【０００９】
さらに、前記軸部の外周面に凹部が形成されてもよい。
この場合、軸部の外周面に凹部が形成されているので、開閉操作時に軸部と軸受凹部内との間に発生する摩擦力を低減することが可能になる。
【発明の効果】
【００１０】
この発明に係る振り出しキャップによれば、軸受凹部内に内容物が入り込んで溜まるのを抑制することができる。
【発明を実施するための最良の形態】
【００１１】
以下、図面を参照し、この発明の実施の形態について説明する。本実施形態に係る振り出しキャップ１０は、例えば粉状あるいは顆粒状の内容物が収容される容器本体の口部に装着されるとともに、内容物を振り出すための振り出し口１１が形成されたキャップ本体１２と、振り出し口１１を開閉させる開閉蓋３０と、が備えられている。
キャップ本体１２は、有頂円筒状に形成され、その頂壁部１２ａにおいて、前半部分に振り出し口１１が多数形成されるとともに、後半部分に前壁部１７、底壁部１６および左右一対の側壁部１８により画成され後方に向けて開放された凹欠き部１５が形成されている。
【００１２】
以下、キャップ本体１２がその上面視で呈する円形状の中心を通りかつ頂壁部１２ａに直交するキャップ軸Ｏに沿って、頂壁部１２ａ側を上側、周壁部１２ｂの開放端側を下側という。
なお図示の例では、凹欠き部１５の底壁部１６における後端部１６ａは、後方に向かうに従い漸次下方に向けて延びる傾斜面となっている。
【００１３】
凹欠き部１５において底壁部１６と前壁部１７との接続部分には、左右方向Ａに長い直方体状に形成された段部１９（対向壁部）が設けられている。
また、凹欠き部１５の底壁部１６には、段部１９の後面における左右方向Ａの両端から後方に向けて延びる一対の補助壁部（対向壁部）２０、２０が立設されている。
そして、段部１９の左右方向Ａにおける両端面１９ａ、１９ａ、および補助壁部２０、２０と、左右一対の側壁部１８、１８との間にはそれぞれ、図２および図３（ａ）に示されるように隙間が設けられている。
【００１４】
さらに、凹欠き部１５の前壁部１７において、左右一対の側壁部１８、１８と段部１９の両端面１９ａ、１９ａとの間に位置する各部分には、凹欠き部１５の底壁部１６から上方に向けて延びる前側軸受壁部２１が突設されている。
また、左右一対の側壁部１８、１８それぞれにおいて、補助壁部２０の後端部に左右方向Ａで対向する位置に、凹欠き部１５の底壁部１６から上方に向けて延在し、前側軸受壁部２１に前後方向Ｂで対向する後側軸受壁部（対向壁部、後壁部）２２が突設されている。
【００１５】
以上より、凹欠き部１５の両側端部に、前側軸受壁部（前壁部）２１、側壁部１８、後側軸受壁部２２、段部１９の端面１９ａおよび補助壁部２０により画成された軸受凹部２３が配設されている。
【００１６】
なお、図３に示されるように、前側軸受壁部２１および後側軸受壁部２２それぞれにおいて、互いに対向する対向面２１ｂ、２２ｂにおける上下方向の中間部分には、上下方向に沿う凹曲面状の窪み部２１ａ、２２ａが形成されている。また、各対向面２１ｂ、２２ｂは、これらの両軸受壁部２１、２２の前後方向Ｂの大きさが左右方向Ａの外側から内側に向かうに従い漸次小さくなるように傾斜している。
【００１７】
また、本実施形態では、凹欠き部１５の底壁部１６において、軸受凹部２３の内側に位置する部分には、開閉蓋３０の後述する軸部３１を下側から支持する支持突部２５が突設されている。なお、支持突部２５の上面は、この支持突部２５の上下方向の大きさが左右方向Ａの外側から内側に向かうに従い漸次小さくなるように傾斜している。
【００１８】
開閉蓋３０は、図１および図５に示されるように、上面視前後方向Ｂに長い長方形状に形成された蓋板３２と、この蓋板３２においてキャップ本体１２の凹欠き部１５を覆う後半部分の下面に突設された取り付け片３３と、この取り付け片３３の両側端部に設けられ軸受凹部２３内に嵌入される軸部３１と、を備えている。
【００１９】
図示の例では、蓋板３２においてキャップ本体１２の振り出し口１１を覆う前半部分の下面には、多数の栓片３４が突設されており、これらの栓片３４が多数の振り出し口１１内に各別に離脱可能に嵌合されている。
取り付け片３３は、蓋板３２の前記後半部分における下面において前後方向Ｂの中間に位置する部分に設けられている。また、取り付け片３３は、左右方向Ａに長く、かつ表裏面が前後方向Ｂを向く長方形状の板状体となっている。
【００２０】
軸部３１は、この取り付け片３３の左右方向Ａにおける両端面の下端に連結されて、取り付け片３３の下端から下方に膨出している。また、軸部３１は、リング状に形成されるとともにその軸線が左右方向Ａに沿って延びるように配設されている。さらに軸部３１には、斜め下後方に向けて開口したＣ字状に形成されている。また、この軸部３１の両周端部のうち下側に位置する下側周端部には、下方に向けて突出する係止突部３１ａが形成されている。さらに、軸部３１の外周面は、左右方向Ａの内側から外側に向かうに従い漸次この軸部３１が縮径するように傾斜している。
【００２１】
以上の構成において、開閉蓋３０は、軸部３１が、その径方向外側から、前側軸受壁部２１および後側軸受壁部２２の各窪み部２１ａ、２２ａと、支持突部２５の上面と、により、上下方向および前後方向Ｂの各移動が規制された状態でその軸線回りに回転自在に支持されて、キャップ本体１２に装着されている。
【００２２】
そして、開閉蓋３０を軸部３１の軸線回りに上方に向けて回動させる過程で、係止突部３１ａが支持突部２５の上面によって軸部３１の径方向内方に向けて押し込まれ、これに伴い軸部３１も径方向内方に圧縮変形させられる。その後、係止突部３１ａが、支持突部２５の前端部に形成された係止凹部２５ａ（図３（ｂ））に到達したときに、この係止凹部２５ａ内に進入することで、係止突部３１ａの前述した押し込みが解除されて、軸部３１が復元変形する。
【００２３】
そして、本実施形態では、補助壁部２０の後端部と後側軸受壁部２２の左右方向Ａの内端部との間に隙間が設けられ、この隙間が軸受凹部２３と凹欠き部１５とを連通させる連通路２６となっている。図示の例では、連通路２６は、軸受凹部２３と凹欠き部１５とを底壁部１６上に沿って連通させている。さらに、この連通路２６は、軸受凹部２３と凹欠き部１５とを前後方向Ｂで連通させている。
【００２４】
また、軸受凹部２３内の支持突部２５には、連通路２６に繋がる連絡凹部２７が形成されている。図示の例では、連絡凹部２７は、図３（ａ）に示されるように、支持突部２５において、段部１９および補助壁部２０との連結部分に形成され前後方向Ｂに沿って延びる第１凹部２７ａと、後側軸受壁部２２との連結部分に形成されて左右方向Ａに沿って延び第１凹部２７ａに連通した第２凹部２７ｂと、これらの第１凹部２７ａおよび第２凹部２７ｂで区画された部分に形成され第１凹部２７ａに連通した上面視半円形状の第３凹部２７ｃと、を備えている。
さらに本実施形態では、連通路２６および連絡凹部２７の各底面は、底壁部１６の上面に段差無く滑らかに連なっている。
【００２５】
ここで、開閉蓋３０の閉状態では、軸部３１の係止突部３１ａは、連絡凹部２７の第２凹部２７ｂ内に進入している。そして、開閉蓋３０を前述のように開く過程で、まず軸部３１の係止突部３１ａが、第２凹部２７ｂを画成する壁面のうち前壁面に摺接しつつ支持突部２５上に乗り上がり、その後、前述のように係止突部３１ａが支持突部２５の上面によって軸部３１の径方向内方に向けて押し込まれるようになっている。
【００２６】
さらに、本実施形態では、前側軸受壁部２１および後側軸受壁部２２の各対向面２１ｂ、２２ｂには、縦リブ２８が突設されている。この縦リブ２８は、前記各対向面２１ｂ、２２ｂにおいて、窪み部２１ａ、２２ａから下端にわたった部分にそれぞれの表面に沿って連続して延在している。つまり、縦リブ２８の突出高さはその全長にわたって同等になっている。また、縦リブ２８の幅は、前側軸受壁部２１および後側軸受壁部２２の各幅よりも狭くなっている。
そして、開閉蓋３０の軸部３１の外周面は縦リブ２８に支持されており、前側軸受壁部２１および後側軸受壁部２２の各対向面２１ｂ、２２ｂにおいて縦リブ２８の非形成部分と軸部３１の外周面との間には隙間が形成されている。
【００２７】
以上説明したように本実施形態に係る振り出しキャップ１０によれば、補助壁部２０の後端部と後側軸受壁部２２の左右方向Ａの内端部との間に連通路２６が配設されているので、内容物を振り出しているときに、この内容物の一部が軸受凹部２３内に入り込んでも、この内容物を、連通路２６を通して軸受凹部２３の外部に排出することが可能になる。
しかも、この連通路２６が、補助壁部２０の後端部と後側軸受壁部２２の左右方向Ａの内端部との間の隙間となっているので、軸受凹部２３内に入り込んだ内容物を溜め込むことなく逐次、軸受凹部２３の外部に排出することができる。
以上より、内容物を振り出しているときに、この内容物の一部が軸受凹部２３内に溜まることで、軸部３１が軸受凹部３２内で回転し難くなるのを抑えることができる。
【００２８】
また、軸部３１を支持する支持突部２５に、連通路２６に繋がる連絡凹部２７が形成されているので、軸受凹部２３内に入り込んだ内容物が軸部３１と支持突部２５との間に進入しても、この内容物を、支持突部２５上から連絡凹部２７内に落下させることにより、この連絡凹部２７を通して連通路２６から軸受凹部２３の外部に排出することが可能になる。
したがって、軸受凹部２３内に入り込んだ内容物が、連通路２６に到達するまでの間に軸部３１と支持突部２５との間で滞留することで、軸部３１が軸受凹部２３内で回転し難くなるのを防ぐことができる。
【００２９】
さらに、前側軸受壁部２１および後側軸受壁部２２の互いに対向する対向面２１ｂ、２２ｂに、縦リブ２８が各別に突設されているので、内容物を振り出しているときに、この内容物の一部が、軸受凹部２３内に入り込み軸部３１と前記対向面２１ｂ、２２ｂとの間に進入しても、この内容物を、前記各対向面２１ｂ、２２ｂにおいて縦リブ２８の非形成部分と、軸部３１との間の隙間を通して落下させることが可能になる。
したがって、軸受凹部２３内に入り込んだ内容物が、軸部３１と前記対向面２１ｂ、２２ｂとの間に滞留することで、軸部３１が軸受凹部２３内で回転し難くなるのを防ぐことができる。
また、このように前記対向面２１ｂ、２２ｂに縦リブ２８が突設されていることから、開閉操作時に軸部３１と軸受凹部２３内との間に発生する摩擦力を低減することも可能になる。
【００３０】
なお、本発明の技術的範囲は前記実施の形態に限定されるものではなく、本発明の趣旨を逸脱しない範囲において種々の変更を加えることが可能である。
例えば、前記実施形態では、補助壁部２０の後端部と後側軸受壁部２２の左右方向Ａの内端部との間に隙間を設け、この隙間を軸受凹部２３と凹欠き部１５とを連通させる連通路２６としたが、これに代えて、補助壁部２０と後側軸受壁部２２とが軸受凹部２３回りで連結されてなる連結壁を採用して前記隙間を埋め、この連結壁の下端部に貫通孔を形成し、この貫通孔を軸受凹部２３と凹欠き部１５とを連通させる連通路としてもよい。
【００３１】
また、前記実施形態では、凹欠き部１５の底壁部１６において軸受凹部２３内に位置する部分に、支持突部２５を突設し、この支持突部２５に連通路２６に繋がる連絡凹部２７を形成したが、支持突部２５および連絡凹部２７は設けなくてもよい。
さらに、前記実施形態では、前側軸受壁部２１および後側軸受壁部２２に縦リブ２８を設けたが、縦リブ２８は設けなくてもよい。
また、前記実施形態では、凹欠き部１５の前壁部１７に前側軸受壁部２１を設けたが、この前側軸受壁部２１は設けなくてもよい。
さらにまた、前記実施形態では、キャップ本体１２に多数の振り出し口１１を形成する一方、開閉蓋３０に多数の栓片３４を設けたが、これらの振り出し口１１および栓片３４は１つずつであってもよい。
【００３２】
さらに、軸部３１は、前記実施形態に限らず適宜変更してもよい。
例えば、図６（ａ）に示されるように、軸部３１の外周面における左右方向Ａの中央部にその全周にわたって連続して延びる環状溝（凹部）４２を形成してもよい。
また、図６（ｂ）に示されるように、軸部３１を、左右方向Ａに沿って大径部４０と小径部（凹部）４１とが連設された二段筒状に形成してもよい。
【００３３】
さらに、図６（ｃ）に示されるように、軸部３１の外周面に、左右方向Ａに沿って外側の端縁から内側に向けて延びる凹溝（凹部）４５を周方向に間隔をあけて複数形成してもよい。図示の例では、凹溝４５における左右方向Ａの内方端は、軸部３１における左右方向Ａの内側の端縁よりも外側に位置している。さらに、この凹溝４５は、軸部３１において左右方向Ａの外側の端面４５ａを通って内周面における左右方向Ａの外側の端部に到達している。
【００３４】
また、図６（ｄ）に示されるように、軸部３１の外周面における左右方向Ａの両端部にそれぞれ、第１凹部（凹部）４３および第２凹部（凹部）４４を各別に形成してもよい。図示の例では、これらの第１凹部４３および第２凹部４４のうち、左右方向Ａの外側の端部に形成された第１凹部４３は、軸部３１を径方向に貫通し、かつ左右方向Ａの外側に向けて開口し、また、左右方向Ａの内側の端部に形成された第２凹部４４は、軸部３１を径方向に貫通しておらず左右方向Ａの内側に向けて開口している。さらに、第１凹部４３および第２凹部４４は、軸部３１の周方向に沿った位置が互い違いになるように配置されている。
【００３５】
以上の図６（ａ）〜図６（ｄ）に示されるような構成を採用することによって、開閉操作時に軸部３１と軸受凹部２３内との間に発生する摩擦力を低減することが可能になる。
【００３６】
さらに、図６（ｃ）に示されるような軸部３１では、凹溝４５が、軸部３１において外周面から前記外側の端面４５ａを通って内周面に到達し、また、図６（ｄ）に示される軸部３１では、第１凹部４３が軸部３１を径方向に貫通し、かつ左右方向Ａの外側に向けて開口しているので、軸部３１の前記外側の端面４５ａを全域にわたって側壁部１８に当接させることなく、これらの第１凹部４３および凹溝４５により前記外側の端面４５ａと側壁部１８との間に隙間を設けることが可能になるとともに、軸部３１の外周面側と内周面側とを径方向で連通させることもできる。
【００３７】
したがって、開閉操作時に、軸部３１の前記外側の端面４５ａと、側壁部１８との間に発生する摩擦力を低減することが可能になるとともに、軸受凹部２３内に進入した内容物が、軸部３１の前記外側の端面４５ａと側壁部１８との間に入り込もうとしても、この内容物を第１凹部４３や凹溝４５を通して落下させることもできる。
【００３８】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３９】
軸受凹部内に内容物が入り込んで溜まるのを抑制することができる。
【図面の簡単な説明】
【００４０】
【図１】本発明に係る一実施形態として示した振り出しキャップの縦断面図である。
【図２】図１に示す振り出しキャップのキャップ本体の上面図である。
【図３】図２に示すキャップ本体の（ａ）Ｘ部拡大図、および（ｂ）（ａ）のＹ−Ｙ線矢視断面図である。
【図４】図２および図３に示すキャップ本体のＸ部の斜視図である。
【図５】図１に示す開閉蓋の側面図である。
【図６】本発明に係る他の実施形態として示した振り出しキャップにおける開閉蓋の軸部を示す斜視図である。
【符号の説明】
【００４１】
１０  振り出しキャップ
１１  振り出し口
１２  キャップ本体
１２ａ  頂壁部
１５  凹欠き部
１６  底壁部
１７  前壁部
１８  側壁部
１９  段部（対向壁部）
１９ａ  段部の端面
２０  補助壁部（対向壁部）
２１  前側軸受壁部（前壁部）
２２  後側軸受壁部（対向壁部、後壁部）
２３  軸受凹部
２５  支持突部
２６  連通路
２７  連絡凹部
２８  縦リブ
３０  開閉蓋
３１  軸部
３３  取り付け片
４１  小径部（凹部）
４２    環状溝（凹部）
４３  第１凹部（凹部）
４４  第２凹部（凹部）
４５  凹溝（凹部）
【図１】
0005145111.tif 000002
【図２】
0005145111.tif 000003
【図３】
0005145111.tif 000004
【図４】
0005145111.tif 000005
【図５】
0005145111.tif 000006
【図６】
0005145111.tif 000007